(57)【要約】【課題】  容量に余裕がある家庭用冷蔵庫の野菜室内に収容でき、かつ、家庭内での消費量をまかなえるように比較的に大型に形成できるウォーターピッチャーを開発する。【解決手段】  両側面を平面ａに形成した容器本体１と、下縁の外周にパッキン３を嵌着して容器本体の口縁に密着する蓋２とからなり、蓋の一端に注ぎ口４を設け、この注ぎ口を開閉する押え蓋５を蓋の上面に備え、蓋の両側に基部をヒンジした両側一対のクランプレバー６を、容器本体の上端に備えた突縁８に掛止させて、蓋と容器本体を密着させるように構成し、クランプレバーの取付け位置の内側に設けた軸受部１０に、Ｕ字型に形成された把手９を取り付け、常時は蓋の周縁部の収容部１１内に嵌合させておくようにしたウォーターピッチャーである。【選択図】  図１
2006131244.tif 000002
【特許請求の範囲】
【請求項１】
長手方向に沿う両側面を平面に形成して上端を開放した容器本体と、下縁の外周に嵌着したパッキンを介在させて容器本体の上端の口縁に密着する蓋とからなり、蓋の長手方向の一端に注ぎ口を設け、この注ぎ口を開閉する押え蓋を蓋の上面に備え、蓋の長手方向に沿う両側にそれぞれの基部をヒンジした両側一対のクランプレバーを、容器本体の上端の両側に備えた突縁に掛止させて、上記蓋と容器本体を密着させるように構成するとともに、上記クランプレバーの取付け位置の内側に設けた一対の軸受部に、上記蓋の長手方向のほぼ中央から注ぎ口のない側の端部に沿うようにＵ字型に形成されて、常時は蓋の周縁部に同形に設けた収容部内に嵌合される把手を取り付けたことを特徴とするウォーターピッチャー。
【請求項２】
前記容器本体と蓋は、両側面を平面に形成して平面形状を小判型に形成し、前記把手は、注ぎ口のない側の蓋の上面内側に折り畳めるように構成して、家庭用冷蔵庫の野菜室内に同形のウォーターピッチャーを互いに間隔を最小限にして収納できるようにしたことを特徴とする請求項１記載のウォーターピッチャー。
【請求項３】
前記押え蓋は、注ぎ口側に接近した裏面に適宜の長さに垂下する筒口部を具え、前記蓋の注ぎ口側には、上記筒口部を比較的に密に嵌合する開口部を設けて、筒口部と開口部との嵌合により、倒れたウォーターピッチャーの注ぎ口から不用意に水が流れ出ないようにする一方、上記押え蓋の後部を斜面部に形成し、両側に設けたヒンジ部を支点として上記筒口部と上記開口部との嵌合を外せるように押え蓋を上下に揺動可能にヒンジしたことを特徴とする請求項１記載のウォーターピッチャー。
【発明の詳細な説明】
【技術分野】
【０００１】
本発明は、ウォーターピッチャーに関し、主として、家庭用冷蔵庫の野菜室内に収容できるように比較的に大型に形成できるようにしたことを特長とするものである。
【背景技術】
【０００２】
従来、密封型のウォーターピッチャーには、例えば、特許文献１のように、注ぎ口がある端部と対向する把手を備えた側の端部を平面形状に形成して、家庭用冷蔵庫の棚に注ぎ口を上にして横置きできるようにした密閉型冷水筒がある。
【０００３】
【特許文献１】特開２００４−２２４３５４号公報（例えば、第１頁参照）
【０００４】
特許文献１の冷水筒は、上記のように冷蔵庫内の棚に間隔を詰めて横置きできる点できわめて有用であるが、それでも冷蔵庫の容量が小さかったり夏期には冷水筒を置く余裕がなくなるという不便を生じていた。
一方で、冷蔵庫の野菜室は容量に相当の余裕があるように造られているが、容量一杯に野菜を収容するような使い方は、一般にはあまり行なわれていないのが実状で、常時は収容容量に満たない使われ方がされている場合が多い。
さらに近年では、家庭内での飲料の消費量が増えつつあるのが現状である。
【発明の開示】
【発明が解決しようとする課題】
【０００５】
以上のことから、本発明が解決しようとする問題点は、容量に余裕がある家庭用冷蔵庫の野菜室内に収容でき、かつ、家庭内での消費量をまかなえるように比較的に大型に形成できるウォーターピッチャーを開発することにある。
【課題を解決するための手段】
【０００６】
そこで本発明は、上記の課題を解決するために、長手方向に沿う両側面を平面に形成して上端を開放した容器本体と、下縁の外周に嵌着したパッキンを介在させて容器本体の上端の口縁に密着する蓋とからなり、蓋の長手方向の一端に注ぎ口を設け、この注ぎ口を開閉する押え蓋を蓋の上面に備え、蓋の長手方向に沿う両側にそれぞれの基部をヒンジした両側一対のクランプレバーを、容器本体の上端の両側に備えた突縁に掛止させて、上記蓋と容器本体を密着させるように構成するとともに、上記クランプレバーの取付け位置の内側に設けた一対の軸受部に、上記蓋の長手方向のほぼ中央から注ぎ口のない側の端部に沿うようにＵ字型に形成されて、常時は蓋の周縁部に同形に設けた収容部内に嵌合される把手を取り付けたことを特徴とするウォーターピッチャーを提供するものである。
【発明の効果】
【０００７】
本発明に係るウォーターピッチャーは、容器本体と蓋との密着が両側一対のクランプレバーの緊締により強固にできる。そして、容器本体内に容量一杯に水を充たして重くなったピッチャーは、蓋に備えたＵ字型の把手を持って垂直に吊り上げ吊り下ろされるので、一般に低い位置に備えられ、高い側壁を具えて引出し状に造られている家庭用冷蔵庫の野菜室に対して出し入れが容易にできる。
以上のことから本発明に係るウォーターピッチャーは、例えば従来のこの種の容器の容量が２リットル程度であったのに比べて約１．５倍ほどの大容量に形成できる。
本発明は、以上のようにして前記の課題を解決したものである。
【発明を実施するための最良の形態】
【０００８】
互いに両側面に平面部を具えて小判型に形成した容器本体と蓋を、間にパッキンを介在させて両側からクランプレバーで緊締する。
蓋の長手方向の一端に注ぎ口を設け、この注ぎ口を開閉する押え蓋を蓋の上面に備える。
クランプレバーの取付け位置の内側に設けた一対の軸受部に、蓋の長手方向のほぼ中央から注ぎ口のない側の端部に沿うようにＵ字型に形成した把手を、常時は蓋の周縁部に同形に設けた収容部内に嵌合されるように取り付ける。
押え蓋は、注ぎ口側に接近した裏面に適宜の長さに垂下する筒口部を具え、蓋の注ぎ口側には、上記筒口部を比較的に密に嵌合する開口部を設けて、この筒口部と開口部との嵌合により、倒れたウォーターピッチャーの注ぎ口から不用意に水が流れ出ないようにする。押え蓋の後部を斜面部に形成し、両側に設けたヒンジ部を支点として上記筒口部と上記開口部との嵌合を外せるように該押え蓋を上下に揺動可能にヒンジする。
上記の構成からなるウォーターピッチャーである。
【実施例】
【０００９】
以下に、本発明の実施例を図面について説明する。  
図１は、実施例の把手を起立させ押え蓋を開けた状態を示す斜視図、図２は、実施例の正面図、図３は、実施例の左側面図、図４は、実施例の平面図、図５は、実施例の底面図、図６は、Ａ−Ａ断面図、図７は、Ｂ−Ｂ断面図である。
【００１０】
実施例を示す図において、１は、長手方向に沿う両側面を平面部ａに形成して上端を開放した容器本体、２は、下縁の外周に嵌着したパッキン３を介在させて容器本体１の上端の口縁に密着する蓋、４は、蓋２の長手方向の一端に設けた注ぎ口、５は、蓋２の上面に揺動可能に備えられた押え蓋、６は、蓋２の長手方向に沿う両側にそれぞれの基部７をヒンジさせた両側一対のクランプレバー、８は、容器本体１の上端の両側に備えられて上記クランプレバー６をそれぞれ掛止して、蓋２と容器本体１を密着させる突縁、９は、上記クランプレバー６の取付け位置の内側に設けた一対の軸受部１０に軸受されて、蓋２の長手方向のほぼ中央から注ぎ口のない側の端部に沿うようにＵ字型に形成され、常時は蓋２の周縁部に同形に設けた収容部１１内に嵌合される把手である。
【００１１】
押え蓋５は、図６（Ａ−Ａ断面図）に示すように、注ぎ口４側に接近した裏面に適宜の長さに垂下する筒口部１２を具え、蓋の注ぎ口４側には、筒口部１２を比較的に密に嵌合する開口部１３を設け、上記筒口部１２と開口部１３との嵌合により、ウォーターピッチャーが倒れた場合に注ぎ口４から不用意に水が流れ出ないようにしている。
【００１２】
また、押え蓋５は、後部（図示右手）を斜面部１４に形成し、両側に設けたヒンジ部１５を支点として上下に揺動可能に備えられ、例えばウォーターピッチャーを手にして、斜面部１４を押し下げ、筒口部１２を図１に示すように上げて開口部１３との嵌合を外して、注水するように用いる。
【００１３】
本発明に係るウォーターピッチャーは、容器本体１と蓋２との密着が両側一対のクランプレバー６の緊締により強固にできる。そして、容器本体１内に容量一杯に水を充たして重くなったピッチャーは、蓋２に備えたＵ字型の把手９を持って垂直に吊り下げられるので、一般に引出し状に造られている家庭用冷蔵庫の野菜室に対しての出し入れが容易にできる。
また、蓋２に備えたＵ字型の把手９は、冷蔵庫の野菜室内で後側に倒して蓋の収容部１１内に嵌め込めば、野菜室の高さ内に収まり、かつ、他の収容物の邪魔にならないコンパクトな収容ができる。
以上のことから本発明に係るウォーターピッチャーは、例えば従来のこの種の容器の容量が２リットル程度であったのに比べて約１．５倍ほどの大容量に形成できる。
【産業上の利用可能性】
【００１４】
本発明に係るウォーターピッチャーは、実施例のように大容量に形成する場合に限らず、通常使用のピッチャーの容量にすることもできる。また、幅、高さ、前後の曲面部のほか押え蓋、筒口部、開口部など各部の形態は、本発明の目的に沿って、実施例の態様のみに限定されるものではない。
【図面の簡単な説明】
【００１５】
【図１】実施例の斜視図である。
【図２】実施例の正面図である。
【図３】同上の左側面である。
【図４】実施例の平面図である。
【図５】実施例の底面図である。
【図６】Ａ−Ａ断面図である。
【図７】Ｂ−Ｂ断面図である。
【符号の説明】
【００１６】
１  容器本体  （ａ  平面部）
２  蓋
３  パッキン
４  注ぎ口
５  押え蓋
６  クランプレバー
７  基部
８  突縁
９  把手
１０  軸受部
１１  収容部
１２  筒口部
１３  開口部
１４  斜面部
１５  ヒンジ部
【図１】
2006131244.tif 000003
【図２】
2006131244.tif 000004
【図３】
2006131244.tif 000005
【図４】
2006131244.tif 000006
【図５】
2006131244.tif 000007
【図６】
2006131244.tif 000008
【図７】
2006131244.tif 000009